(57)【要約】【課題】  既設の外装部材を交換することなく容易に覆い隠す。【解決手段】  空間を仕切るようにして閉鎖動作する開閉体１０と、閉鎖状態の開閉体１０の周囲側で外部に露出する外装部材とを備えた開閉装置について、修復を行う開閉装置の修復方法において、前記外装部材の表面を、前記外装部材の露出面形状のカバー部材５１，５２，６０，８０により覆う工程を含む。【選択図】  図１
2020111956.tif 000002
【特許請求の範囲】
【請求項１】
空間を仕切るようにして閉鎖動作する開閉体と、閉鎖状態の前記開閉体の周囲側で外部に露出する外装部材とを備えた開閉装置について修復を行う開閉装置の修復方法において、
前記外装部材の表面を、前記外装部材の露出面形状のカバー部材により覆う工程を含むことを特徴とする開閉装置の修復方法。
【請求項２】
前記外装部材が、前記開閉体をその開放方向側で収納する収納ケースであることを特徴とする請求項１記載の開閉装置の修復方法。
【請求項３】
前記収納ケースの表面に開閉体幅方向へわたる凹溝が設けられ、
前記工程では、前記カバー部材を前記凹溝に嵌め合わせるようにしたことを特徴とする請求項２記載の開閉装置の修復方法。
【請求項４】
前記外装部材が、全閉状態の開閉体の閉鎖方向端部に対向する下枠であることを特徴とする請求項１記載の開閉装置の修復方法。
【請求項５】
前記外装部材が、前記開閉体を閉鎖方向へ案内する既設ガイドレールであることを特徴とする請求項１記載の開閉装置の修復方法。
【請求項６】
前記工程には、開閉体を閉鎖方向へ案内する修復用ガイドレールを前記既設ガイドレールに装着する工程と、前記カバー部材によって前記既設ガイドレールおよび前記修復用ガイドレールの露出面を覆う工程とを含むことを特徴とする請求項５記載の開閉装置の修復方法。
【請求項７】
前記工程では、前記カバー部材の少なくとも一部分を折り曲げて、この折り曲げ部分を前記外装部材に嵌め合わせることを特徴とする１〜６何れか１項記載の開閉装置の修復方法。
【請求項８】
空間を仕切るようにして閉鎖動作する開閉体と、閉鎖状態の前記開閉体の周囲側で外部に露出する外装部材とを備えた開閉装置において、
前記外装部材の表面が、前記外装部材の露出面形状にならう形状のカバー部材により覆われていることを特徴とする開閉装置。
【発明の詳細な説明】
【技術分野】
【０００１】
本発明は、オーバーヘッドドアを含むシャッター装置、ロールスクリーン、ブラインド、オーニング装置、門扉、ゲート、スライディングウォール装置等、スライドする開閉体により空間を仕切るようにした開閉装置、特にシャッター装置として好適な開閉装置を修復するようにした開閉装置の修復方法及び開閉装置に関するものである。
【背景技術】
【０００２】
従来、この種の発明には、例えば特許文献１に記載されるように、空間を仕切るようにして閉鎖動作する開閉体と、前記開閉体を閉鎖方向へ案内するガイドレールと、前記開閉体をその開放方向側で収納する収納ケースと、閉鎖された前記開閉体を閉鎖方向側で受ける下枠とを備えた窓用シャッター装置がある。
このような窓用シャッター装置では、ガイドレールや、収納ケース、下枠等、外部に露出する外装部材について、その一部分が、建物の外壁の裏側に埋め込まれ、シール材の充填等により外壁端部との隙間が水密に塞がれている。
【先行技術文献】
【特許文献】
【０００３】
【特許文献１】特開２０１４−３１６３５号公報（図２参照）
【発明の概要】
【発明が解決しようとする課題】
【０００４】
ところで、上記従来技術のように外部に露出する外装部材を備えたシャッター装置では、例えば、強風時の飛来物等との接触により、前記外装部材に変形や摩耗等の損傷を生じる場合がある。このような場合、前記外装部材を交換する必要があるが、既設の前記外装部材を取り外すためには、前記外装部材の一部分に被せられた外壁を破壊しシール材を取り除く必要がある。さらに、外装部材を新規のものに交換した後に、外壁及びシール材の施工が必要になる。このため、その作業時間及び材料コスト等の増大を招くおそれがある。
【課題を解決するための手段】
【０００５】
このような課題に鑑みて、本発明は、以下の構成を具備するものである。
空間を仕切るようにして閉鎖動作する開閉体と、閉鎖状態の前記開閉体の周囲側で外部に露出する外装部材とを備えた開閉装置について修復を行う開閉装置の修復方法において、前記外装部材の表面を、前記外装部材の露出面形状のカバー部材により覆う工程を含むことを特徴とする開閉装置の修復方法。
【発明の効果】
【０００６】
本発明は、以上説明したように構成されているので、既設の外装部材を交換することなく容易に覆い隠すことができる。
【図面の簡単な説明】
【０００７】
【図１】本発明に係る開閉装置の修復方法の一例を示す斜視図である。
【図２】同修復方法を収納ケースに適用した開閉装置の縦断面図である。
【図３】同修復方法を適用した下枠の一例を示す縦断面図であり、（ａ）は修復直前の状態、（ｂ）は修復後の状態を示す。
【図４】既設ガイドレールから開閉体を外そうとしている状態を示す横断面図である。
【図５】既設ガイドレールに修復用ガイドレール及びカバー部材を装着しようとしている状態を示す横断面図である。
【図６】既設ガイドレールに修復用ガイドレール及びカバー部材を装着し、開閉体を嵌め合わせた状態を示す横断面図である。
【図７】同修復方法により修復された開閉装置の一例を示す斜視図である。
【発明を実施するための形態】
【０００８】
本実施の形態では、以下の特徴を開示している。
第一の特徴は、空間を仕切るようにして閉鎖動作する開閉体と、閉鎖状態の前記開閉体の周囲側で外部に露出する外装部材とを備えた開閉装置について修復を行う開閉装置の修復方法において、前記外装部材の表面を、前記外装部材の露出面形状のカバー部材により覆う工程を含む（図１〜図６参照）。
この構成によれば、外装部材に変形や摩耗等の損傷を生じている場合でも、この外装部材を、交換することなくカバー部材によって覆い隠すことができる。
【０００９】
第二の特徴は、前記外装部材が、前記開閉体をその開放方向側で収納する収納ケースである（図１及び図２参照）。
【００１０】
第三の特徴は、より作業性を向上するために、前記収納ケースの表面に開閉体幅方向へわたる凹溝が設けられ、前記工程では、前記カバー部材を前記凹溝に嵌め合わせる（図１及び図２参照）。
【００１１】
第四の特徴は、前記外装部材が、全閉状態の開閉体の閉鎖方向端部に対向する下枠である（図１及び図３参照）。
【００１２】
第五の特徴は、前記外装部材が、前記開閉体を閉鎖方向へ案内する既設ガイドレールである（図１及び図４〜図６参照）。
【００１３】
第六の特徴として、前記工程には、開閉体を閉鎖方向へ案内する修復用ガイドレールを前記既設ガイドレールに装着する工程と、前記カバー部材によって前記既設ガイドレールおよび前記修復用ガイドレールの露出面を覆う工程とを含む（図４〜図６参照）。
【００１４】
第七の特徴として、カバー部材と外装部材の一体性を向上する等ために、前記工程では、前記カバー部材の少なくとも一部分を折り曲げて、この折り曲げ部分を前記外装部材に嵌め合わせる（図３参照）。
【００１５】
第八の特徴は、空間を仕切るようにして閉鎖動作する開閉体と、閉鎖状態の前記開閉体の周囲側で外部に露出する外装部材とを備えた開閉装置において、前記外装部材の表面が、前記外装部材の露出面形状にならう形状のカバー部材により覆われている（図７参照）。
この構成によれば、外装部材に変形や摩耗等の損傷を生じている場合でも、この外装部材をカバー部材によって覆い隠すことができる。
【００１６】
＜具体的実施態様＞
次に、上記特徴を有する具体的な実施態様について、図面に基づいて詳細に説明する。以下の説明において、「開閉体厚さ方向」とは、閉鎖状態の開閉体の厚さ方向を意味する。また、「開閉体幅方向」とは、開閉体の開閉方向と略直交する方向であって、開閉体の厚さ方向ではない方向を意味する。また、「開閉体開閉方向」とは、開閉体が空間を仕切ったり開放したりするためにスライドする方向を意味する。
また、以下の説明では、開閉体厚さ方向において、屋外側を前、屋内側を後と表現する場合がある。
【００１７】
本実施の形態の修復方法では、閉鎖状態の開閉体１０の周囲側で外部に露出する外装部材を備えた開閉装置について、その修復をする。
ここで、前記外装部材は、本実施の形態の一例によれば、収納ケース３１、カバー部材６０、既設ガイドレール２０等である。
【００１８】
開閉装置１は、空間を仕切るように下方へ閉鎖動作する開閉体１０と、開閉体１０の幅方向の端部を凹状に囲んで閉鎖方向へ案内する左右の既設ガイドレール２０，２０と、開閉体１０をその開放方向側で収納する収納部３０と、全閉状態の開閉体１０の閉鎖方向端部に対向する下枠４０とを具備する（図１参照）。
この開閉装置１は、構造物開口部の窓サッシＳの屋外側に位置するように、構造物壁面に固定されて窓用シャッター装置を構成する（図２参照）。
【００１９】
図１中、符号Ｗ１、Ｗ２は、横方向へスライドして開閉する窓である。
符号ｄ１は収納部３０の収納ケース３１に形成された損傷、符号ｄ２は既設ガイドレール２０に形成された損傷、ｄ３は下枠４０に形成された損傷である。
なお、損傷ｄ１，ｄ２，ｄ３は、例えば強風時の飛来物等との接触により形成されたものであり、この損傷には、凹みや、欠け、摩耗、塗装剥がれ等を含む。
【００２０】
開閉体１０は、横長略矩形状の磁性金属板を曲げ加工してなるスラット１１ａを、上下に隣接するスラット１１ａ，１１ａ間で回動するように複数連接することで、開閉体本体１１を構成し、この開閉体本体１１の下側の端部に、下枠４０に当接させるための座板部材１２（水切り又は幅木と呼称される場合もある。）を、開閉体幅方向にわたって接続している。
この開閉体１０の幅方向の端部には、必要に応じて、開閉体厚み方向へ突出してガイドレール内から抜けないように係合する抜止め部材１３（図４参照）が設けられる。
【００２１】
既設ガイドレール２０は、開閉体１０を開閉方向へ案内する部材であり、開閉体１０の幅方向の両側各々で、収納部３０と下枠４０との間にわたって略鉛直状に設けられる。
より詳細に説明すれば、この既設ガイドレール２０は、図４に横断面形状を示すように、開閉体１０の幅方向の端部を凹状に囲んで上下方向へ案内するガイド本体部２１と、このガイド本体部２１の後方側（図４の上方側）に設けられて不動部位（例えば、構造物壁面ｘ２やサッシ等）に止着される止着柱部２２とを一体的に有し、上下方向へ連続している。
【００２２】
収納部３０は、収納ケース３１内に、開閉体１０をその開方方向側で巻き取ったり繰り出したりする巻取軸３２（図２参照）や、この巻取軸３２を電動で回転させる開閉機３３等を収納している。
【００２３】
収納ケース３１は、巻取軸３２の上側を開閉体幅方向へわたって覆う上側部材３１ａと、同巻取軸３２の下側を開閉体幅方向へわたって覆う下側部材３１ｂと、これら上側部材３１ａ及び下側部材３１ｂの幅方向の両端部をそれぞれを覆う側面部材３１ｃとから横長箱状に形成され（図１参照）、その下端部に、開閉体１０を遊挿する横長の開口Ａを有する。
【００２４】
上側部材３１ａは、図２に示すように、開閉体幅方向へ連続する縦断面略逆Ｌ字状の部材であり、その天壁部の後側の端部に、上方へ折り曲げられた形状の止着片部３１ａ１を有し、前壁部の下端側には、後側へ折り曲げられた凹片部３１ａ２を有する。
【００２５】
止着片部３１ａ１は、外壁ｘ１の裏側の構造物壁面ｘ２（例えば下地部材や骨材等の表面）に止着されている。
外壁ｘ１の端部と上側部材３１ａ上面の間は、シール材等により水密処理が施されている。
【００２６】
下側部材３１ｂは、開閉体幅方向へ連続する縦断面略Ｌ字状の部材であり、その前壁部の上端側に後側へ折り曲げられた凹片部３１ｂ１を有し、同前壁部の下端側に後側へ曲げられた下壁部３１ｂ２を有し、この下壁部３１ｂ２よりも後側に開口Ａを確保している（図２参照）。
【００２７】
これら上側部材３１ａと下側部材３１ｂは、凹片部３１ａ２，３１ｂ１を重ね合わせるようにし、着脱可能な止着具（例えばネジやボルト等）によって接続される。
そして、重ね合わせられた凹片部３１ａ２，３１ｂ１は、収納ケース３１の表面に横幅方向へ連続する長尺な凹溝Ｇを構成する。
【００２８】
また、下枠４０は、左右の既設ガイドレール２０，２０の下端部間にわたって設けられた長尺状の部材である。
この下枠４０は、図３に示すように、手前側で上方へ立ち上がって開閉体幅方向へ連続する立上り片部４１と、後側の端部から上方へ立ち上がって開閉体幅方向へ連続する止着片部４２と、これら立上り片部４１と止着片部４２の間で屋外側へ向かって下り傾斜する傾斜面部４３と、傾斜面部４３と立上り片部４１の間に位置する凹溝部４４とを有する。
【００２９】
止着片部４２は、外壁ｘ１の裏側の構造物壁面ｘ２（例えば下地材等の表面）に止着されている。
外壁ｘ１の端部と傾斜面部４３下面の間は、シール材等により水密処理が施されている。
【００３０】
本実施の形態の修復方法の一例では、上述した部材のうち、収納ケース３１、及び下枠４０、既設ガイドレール２０等の外装部材について、その屋外側に露出する表面を、それぞれの露出面形状のカバー部材により覆うようにしている。
以下に、各外装部材に対応するカバー部材と、該カバー部材を用いた修復方法について詳細に説明する。
【００３１】
外装部材としての収納ケース３１は、図１及び図２に示すように、上側カバー部材５１と、下側カバー部材５２とによって覆われる。
【００３２】
上側カバー部材５１は、開閉体幅方向へ連続する縦断面略逆Ｌ字状の部材であり、その前壁部の下端側に、後側へ折り曲げられた折片部５１ａを有する（図１及び図２参照）。
この上側カバー部材５１は、図１及び図２に示すように、損傷ｄ１等を隠すようにして、収納ケース３１の上側部材３１ａに重ね合わせられ、ネジやボルト、リベット等の止着具（図示せず）によって固定される。
この際、上側カバー部材５１は、折片部５１ａを収納ケース３１の凹溝Ｇに嵌め合わせて位置決めされ、その天壁部の後側の端部５１ｂを、構造物の外壁ｘ１よりも外側（図２によれば左側）に配置する。したがって、上側カバー部材５１の装着作業に伴って構造物の外壁ｘ１を外す必要はない。
【００３３】
また、下側カバー部材５２は、開閉体幅方向へ連続する縦断面略Ｌ字状の部材であり、その前壁部の上端側に後側へ折り曲げられた凹片部５２ａを有し、同前壁部の下端側に後側へ曲げられた縦断面凹状の下壁部５２ｂを有する（図１及び図２参照）。
この下側カバー部材５２は、収納ケース３１の下側部材３１ｂにおける図示しない傷や汚れ、塗装剥がれ等を覆うようにして、下側部材３１ｂに重ね合わせられる。この際、凹片部５２ａが凹溝Ｇに嵌め合わせられ、凹状の下壁部５２ｂが、下側部材３１ｂの下壁部３１ｂ２に嵌め合わせられる。
そして、この下側カバー部材５２は、止着具５３（例えば、ネジやボルト、リベット等）によって固定される。
【００３４】
なお、下側部材３１ｂに傷等がない場合には、下側カバー部材５２の装着を省くことも可能である。また、他の修復方法としては、下側カバー部材５２を装着するのに換えて、既存の下側部材３１ｂを新規の下側部材３１ｂに交換するようにしてもよい。
【００３５】
また、外装部材としての下枠４０は、図１及び図３に示すように、カバー部材６０によって覆われる。カバー部材６０は、その一部分を折り曲げて、下枠４０に嵌め合わせられる。
詳細に説明すれば、このカバー部材６０は、下枠４０の上側露出面の形状に沿うように、後側で下枠４０の止着片部４２に沿う立上り片部６１と、立上り片部６１の下端から前方へ下り傾斜する傾斜面部６２と、この傾斜面部６２の更に前側に接続された凹溝部６３と、この凹溝部６３の前端に接続された折曲片部６４とを一体に有する縦断面形状であって、開閉体幅方向へわたって長尺状に連続している。
このカバー部材６０は、左右の既設ガイドレール２０，２０間に嵌り合うように、左右の既設ガイドレール２０，２０間の長さに横幅寸法が設定されている。
【００３６】
折曲片部６４は、凹溝部６３の前端壁６３ａの上端から前方斜め下側へ傾斜する平板状に形成される。この折曲片部６４が前端壁６３ａ上端から前方斜め下側へ突出する長さは、下枠４０前端の立上り片部４１の上下高さに対し、略同等又は若干大きい長さに設定される。
この折曲片部６４は、立上り片部６１、傾斜面部６２、凹溝部６３を、それぞれ、下枠４０の止着片部４２、傾斜面部４３、凹溝部４４に重ね合わせ、図３（ｂ）に示すように、折曲片部６４が折り曲げられ、この折曲片部６４の内側部分が、下枠４０前端の立上り片部４１に嵌め合わせられる。そして、この折曲片部６４は、要部が止着具（例えばネジやボルト、リベット等）によって下枠４０に止着される。
【００３７】
また、既設ガイドレール２０を修復する工程には、既存の開閉体１０を取り外す第一の工程（図４参照）と、既設ガイドレール２０に修復用ガイドレール７０を固定する第二の工程（図５上半部参照）と、既設ガイドレール２０及び修復用ガイドレール７０の露出面をカバー部材８０によって覆う第三の工程（図５下半部参照）と、幅寸法の異なる修復用開閉体１０’を修復用ガイドレール７０によって開閉方向へ案内されるように装着する第四の工程（図６参照）とを含む。
【００３８】
前記第一の工程では、既存の開閉体１０を巻取軸３２に巻き取るようにして既設ガイドレール２０から抜き出す。
【００３９】
前記第二の工程では、修復用ガイドレール７０が、既設ガイドレール２０の内側面（図５によれば、ガイド本体部２１の右端面）に沿って上下方向へわたって装着される。
【００４０】
修復用ガイドレール７０は、既設ガイドレール２０のガイド本体部２１と略同形状であって修復用開閉体１０’を開閉方向へ案内するガイド本体部７１と、このガイド本体部７１の既設ガイドレール２０側の端部から突出する止着片部７２とを一体に有する。
【００４１】
止着片部７２は、上下方向へ連続する略板状に形成され、ガイド本体部２１の開口からガイド本体部２１内へ挿入され、止着具７３（例えば、ネジやボルト、リベット等）によって、ガイド本体部２１の内面に止着される。
この止着片部７２の他例としては、上下方向において部分的に設けられた態様とすることも可能である。
【００４２】
次に、第三の工程では、左側と右側の各々において、既設ガイドレール２０及び修復用ガイドレール７０の前方側の端面と側方側の端面とを、上下方向にわたって、カバー部材８０によって覆う（図５参照）。
カバー部材８０は、既設ガイドレール２０及び修復用ガイドレール７０の屋外側の露出面を覆う横断面略Ｌ字状の部材であり、上下方向へ連続している。このカバー部材８０は、既設ガイドレール２０及び修復用ガイドレール７０に対し、リベット等の止着具７４（図６参照）によって止着される。
このカバー部材８０の後端部８０ａは、構造物の外壁ｘ１よりも屋外側に位置する。したがって、カバー部材８０の装着作業に伴って構造物の外壁ｘ１を外す必要はない。
【００４３】
次に、第四の工程では、既存の開閉体１０を巻付けた巻取軸３２が、修復用開閉体１０’を巻き付けた巻取軸（図示せず）に交換される。
【００４４】
修復用開閉体１０’は、上記した既設の開閉体１０と略同構造の開閉体であり、横幅が狭くなった左右の修復用ガイドレール７０，７０に嵌り合うように、幅寸法（詳細には開閉体本体１１の幅寸法）が、開閉体１０よりも小さく設定される。
【００４５】
そして、交換された巻取軸から修復用開閉体１０’が繰り出される。この修復用開閉体１０’の幅方向端部側は、閉鎖動作に伴い、修復用ガイドレール７０内に挿入される（図６参照）。
【００４６】
なお、上記第四の工程では、必要に応じて、巻取軸３２を支持する軸受ブラケット（図示せず）や、開閉機３３等も、新しいものに交換するようにしてもよい。
また、他例としては、巻取軸３２を交換せずに、開閉体１０のみを修復用開閉体１０’に交換する態様とすることも可能である。
また、上記第四の工程は、上記第一の工程の直後、又は上記第二工程の直後に行うことも可能である。
【００４７】
そして、上記第一〜第四の工程によれば、ガイドレールが、既設の開閉体１０を開閉体開閉方向へ案内する既設ガイドレール２０と、修復用開閉体１０’を開閉体開閉方向へ案内する修復用ガイドレール７０とからなる開閉装置１’が得られる。
そして、この開閉装置１’は、損傷ｄ１，ｄ２，ｄ３を有する外装部材（具体的には、収納ケース３１、カバー部材６０、既設ガイドレール２０等）の表面が、それぞれ、各外装部材の露出面形状にならう外面形状のカバー部材５１，５２，６０，８０によって覆われる（図７参照）。
【００４８】
よって、上述した修復方法によれば、構造物の外壁ｘ１やパッキン等を外したり壊したりすることなく、各種カバー部材５１，５２，６０，８０を装着して、損傷ｄ１，ｄ２，ｄ３等を覆い隠すことができ、その作業性が良好である。
【００４９】
特に、下枠４０用のカバー部材６０は、その一部分が折り曲げられて下枠４０に嵌り合うため、当該カバー部材６０の加工性や装着作業性が良好な上、既設の下枠４０との一体性にも優れている。
【００５０】
また、既設ガイドレール２０が変形等の損傷ｄ２により機能を損ねてしまった場合でも、この既設ガイドレール２０を交換することなく修復用ガイドレール７０を装着して、この修復用ガイドレール７０によってガイドレールとしての機能を発揮することができる。
【００５１】
また、各種カバー部材５１，５２，６０，８０の色や模様等を既設のものと違うものにして、外装部材の色や模様等を容易に変更することもできる。
【００５２】
なお、上記実施の形態によれば、下枠４０用のカバー部材６０について、その一部分である折曲片部６４が、折り曲げられるようにしたが、他例としては、収納ケース３１用のカバー部材５１，５２、又は既設ガイドレール用のカバー部材８０等、他のカバー部材について、その一部が折り曲げられて対応する外装部材に嵌り合うようにしてもよい。
【００５３】
また、上記実施の形態によれば、既設ガイドレール２０及び修復用ガイドレール７０をカバー部材８０によって覆うようにしたが、他例として、損傷ｄ２を有する既設ガイドレール２０の機能に問題がない場合等には、修復用ガイドレール７０を用いずに、損傷ｄ２を有する既設ガイドレール２０をカバー部材によって覆うだけの態様とすることも可能である。
【００５４】
また、上記実施の形態によれば、修復用ガイドレール７０の止着片部７２を既設ガイドレール２０内に止着するようにしたが、他例としては、修復用ガイドレール７０を既設ガイドレール２０の外面に止着する態様や、修復用ガイドレール７０を既設ガイドレール２０に対し嵌合固定する態様とすることも可能である。
【００５５】
また、上記実施の形態によれば、既設ガイドレール２０の内側面に沿って修復用ガイドレール７０を設けたが、他例としては、既設ガイドレール２０の開閉体厚さ方向側に修復用ガイドレールを設けるようにすることも可能である。この他例では、開閉体１０の幅方向の寸法を変えないで済むため、既存の開閉体１０を用いることが可能である。
【００５６】
また、上記実施の形態によれば、各種カバー部材５１，５２，６０，８０を、対応する外装部材の略全長にわたるように形成したが、前記カバー部材の他例としては、対応する外装部材の一部分を覆う構成とすることも可能であり、この場合、少なくとも損傷部分を全て覆うようにする。
【００５７】
また、本発明は上述した実施態様に限定されず、本発明の要旨を変更しない範囲で適宜変更可能である。
【符号の説明】
【００５８】
１，１’：開閉装置
１０：開閉体
１０’：修復用開閉体
２０：既設ガイドレール（外装部材）
３０：収納部
３１：収納ケース（外装部材）
４０：下枠（外装部材）
５１：上側カバー部材
５２：下側カバー部材
６０：カバー部材
７０：修復用ガイドレール
８０：カバー部材
ｄ１，ｄ２，ｄ３：損傷
Ｇ：凹溝
【図１】
2020111956.tif 000003
【図２】
2020111956.tif 000004
【図３】
2020111956.tif 000005
【図４】
2020111956.tif 000006
【図５】
2020111956.tif 000007
【図６】
2020111956.tif 000008
【図７】
2020111956.tif 000009